(57)【要約】    【課題】グリップに対する釣竿本体の正確な位置決めと確実な固定が可能である釣竿の提供。    【解決手段】この釣竿１０は、釣竿本体１１とグリップ１２とを備え、両者は着脱自在である。釣竿本体１１とグリップ１２とは、位置決め機構１３を介して連結される。位置決め機構１３は、釣竿本体１１をグリップ１２に対して所定の向きになるように位置決めする。位置決め機構１３は、グリップ１２側に設けられたソケット３１と釣竿本体１１側に設けられたスタッド３２とを有する。スタッド３２は釣竿本体１１に固定され、ソケット３１に対して所定の向きに嵌め込まれる。スタッド３２は係合突片４２を有し、ソケット３１は係合溝３９を有する。係合突片４２と係合溝３９とは、キー及びキー溝を構成する。【選択図】図３
2005210913.tif 000002
【特許請求の範囲】
【請求項１】
釣糸ガイドが設けられた釣竿本体と、
釣竿本体が軸方向に沿って挿通支持される筒状のグリップと、
釣竿本体とグリップとの間に介在され、両者を位置決めする位置決め機構とを有し、
位置決め機構は、
グリップ側又は釣竿本体側のいずれか一方に設けられたソケットと、
グリップ側又は釣竿本体側のいずれ他方に設けられ、ソケットと嵌合されるスタッドとを備えている釣竿。
【請求項２】
上記ソケットは、
上記釣竿本体が挿通され得る筒状に形成され、上記グリップの先端部に位置決め状態で取り付けられるソケット本体と、当該ソケット本体の所定位置に設けられた係合部とを有し、
上記スタッドは、
上記釣竿本体が挿通され且つ上記本体と嵌合する筒状に形成されたスタッド本体と、当該スタッド本体に設けられ、上記係合部と位置決め状態で係合する被係合部とを有する釣竿。
【請求項３】
上記グリップの先端部は、軸方向に沿って形成された位置決め溝を有し、
上記ソケット本体は、軸方向に延設され上記位置決め溝に嵌合する位置決め片が形成されると共に、上記係合部を構成する係合溝を有し、
上記スタッド本体の被係合部は、軸方向に延設され上記係合溝に嵌合する係合突片からなる請求項２に記載の釣竿。
【発明の詳細な説明】
【技術分野】
【０００１】
本発明は、釣竿の構造、より詳細にはグリップと釣竿本体とが分離可能に連結されている釣竿の構造に関するものである。
【背景技術】
【０００２】
図５は、従来の一般的な釣竿の正面図である。
この釣竿１は、グリップ２及びこれに支持される釣竿本体３を有し、これらは同図が示すように分離可能となっている。グリップ２には、釣用リールが装着されるリールシート部４が設けられており、釣竿本体３には、釣用リールから繰り出される釣糸を釣竿本体３に沿って案内する釣糸ガイド５が複数並設されている（例えば、非特許文献１参照）。
【０００３】
実釣時において、釣竿本体３の基端部６がグリップ２の先端部に挿入されることによって、釣竿１が組み立てられる。また、グリップ２と釣竿本体３とが分離されることによって、釣人は、釣竿１の搬送や保管を容易に行うことができる。
【０００４】
【非特許文献１】株式会社シマノ  ２００３  Fishing Tackle Catalogue（第１２１頁〜第１２４頁）
【発明の開示】
【発明が解決しようとする課題】
【０００５】
上記釣糸ガイド５は、グリップ２に装着された釣用リールから繰り出される釣糸を案内するものであるから、釣竿本体３がグリップ２に取り付けられる際には、釣竿本体３は、釣糸ガイド５が所定方向に向くように（すなわち、リールシート部４が設けられた側に向くように）正確に配置される必要がある。すなわち、釣竿本体３がグリップ２に対して正確に位置決めされなければならない。
【０００６】
従来では、グリップ２に対する釣竿本体３の位置決めは、釣人の目視によって行われていたため、釣竿本体３の正確な位置決めが困難であるという問題があった。また、釣竿本体３は、単にグリップ２に嵌め込まれることによって固定されているので、実釣中にグリップ２に対する釣竿本体３の位置が変化してしまうおそれもあった。
【０００７】
そこで、本発明の目的は、グリップに対する釣竿本体の正確な位置決めと確実な固定が可能である釣竿を提供することである。
【課題を解決するための手段】
【０００８】
(1) 上記目的が達成されるため、本発明に係る釣竿は、釣糸ガイドが設けられた釣竿本体と、釣竿本体が軸方向に沿って挿通支持される筒状のグリップと、釣竿本体とグリップとの間に介在され、両者を位置決めする位置決め機構とを有し、位置決め機構は、グリップ側又は釣竿本体側のいずれか一方に設けられたソケットと、グリップ側又は釣竿本体側のいずれ他方に設けられ、ソケットと嵌合されるスタッドとを備えていることを特徴とするものである。
【０００９】
この構成によれば、釣竿本体とグリップとの間にソケット及びこれと位置決め状態で嵌合するスタッドが配設される。釣竿本体又はグリップの一方はソケット又はスタッドのいずれか一方と連結され、釣竿本体又はグリップの他方はソケット又はスタッドのいずれか他方と連結されることから、釣竿本体は、グリップに対して位置決め状態で固定されることになる。
【００１０】
(2) 上記ソケットは、上記釣竿本体が挿通され得る筒状に形成され、上記グリップの先端部に位置決め状態で取り付けられるソケット本体と、当該ソケット本体の所定位置に設けられた係合部とを有して構成され、上記スタッドは、上記釣竿本体が挿通され且つ上記本体と嵌合する筒状に形成されたスタッド本体と、当該スタッド本体に設けられ、上記係合部と位置決め状態で係合する被係合部とを有して構成され得る。
【００１１】
この場合、ソケット本体及びスタッド本体のうちいずれか一方が釣竿本体に設けられ、いずれか他方がグリップに設けられる。そして、ソケット本体に設けられた係合部と、スタッド本体に設けられた被係合部とが係合することによって、ソケット本体とスタッド本体とが位置決めされる。つまり、釣竿本体がグリップに対して位置決めされる。
【００１２】
上記ソケット本体とグリップ本体との嵌合により上記位置決め機構が構成されるから、位置決め機構は、グリップ及び釣竿本体とは別個独立した部材として構成され得る。したがって、位置決め機構は、釣竿本体及びグリップと一体的に設計されない場合であっても、いわゆる後付作業で釣竿に組み込まれることも可能である。よって、この位置決め機構が設けられることにより、釣竿本体及びグリップの設計の自由度が低下することはないという利点がある。
【００１３】
(3) 上記グリップの先端部は、軸方向に沿って形成された位置決め溝を有し、上記ソケット本体は、軸方向に延設され上記位置決め溝に嵌合する位置決め片が形成されると共に、上記係合部を構成する係合溝を有して構成され、上記スタッド本体の被係合部は、軸方向に延設され上記係合溝に嵌合する係合突片から構成され得る。
【００１４】
この構成では、グリップ側に設けられた位置決め溝とソケット本体側に設けられた位置決め片とが嵌合することによって、グリップに対してソケットが位置決めされる。また、ソケット本体に設けられた係合溝とスタッド本体に設けられた係合突片とが嵌合することによって、ソケットに対してスタッドが位置決めされる。これにより、釣竿本体がグリップに対して位置決めされる。
【発明の効果】
【００１５】
以上のように本発明によれば、釣竿本体が位置決め機構によってグリップに対して位置決め状態で固定され得るので、例えば、グリップや釣竿本体のメンテナンスのために両者が分離された場合であっても、両者は再び位置決めされた状態で組み立てられる。しかも、位置決め機構によって釣竿本体とグリップとが位置決めされるから、従来のように釣人が目視にて両者の位置決めを行う場合に比べて簡単且つ正確である。
【発明を実施するための最良の形態】
【００１６】
以下、適宜図面が参照されつつ、好ましい実施形態に基づいて本発明が詳細に説明される。
【００１７】
図１は、本発明の一実施形態に係る釣竿の正面図である。
この釣竿１０は、ルアー用ワンピースタイプのものであって、釣竿本体１１と、その後端部を支持するグリップ１２とを備えている。本実施形態の特徴とするところは、釣竿本体１１がグリップ１２に対して着脱自在となっており、釣竿本体１１がグリップ１２に取り付けられる際には、後述される位置決め機構１３によって、釣竿本体１１がグリップ１２に簡単且つ正確に位置決め固定されるようになっている点である。
【００１８】
図２は、本発明の一実施形態に係る釣竿の要部拡大斜視図であり、グリップ１２と釣竿本体１１との連結部分が図示されている。
釣竿本体１１は、単一の棒状部材からなる。釣竿本体１１の後端部１４は、軸方向に沿ってグリップ１２の内部に挿通されており、これにより、釣竿本体１１はグリップ１２によって片持ち状に支持されている。本実施形態では、釣竿本体１１は単一の部材からなるが、これに限定されるものではなく、複数の部材が接続されることによって釣竿本体１１が構成されるものであってもよい。釣竿本体１１は、既知の要領で、例えば、カーボン繊維強化樹脂（プリプレグ）が所定形状に裁断され、これが筒状に巻回されることによって、円筒状の部材として構成される。また、図１が示すように、釣竿本体１１には、複数の釣糸ガイド１５〜２２が所定間隔で配置されている。
【００１９】
グリップ１２は、リールシート部２３を備えている。リールシート部２３は、釣用リールの脚部を挟持し、当該釣用リールをグリップ１２に固定するものである。上記釣糸ガイド１５〜２２は、このリールシート部２３が設けられた側に配置されている。したがって、釣竿１０は、ベイトリールが装着されるタイプであり、グリップ１２には、釣人の指が掛けられるトリガ２４が形成されている。
【００２０】
図２が示すように、リールシート部２３には、釣用リールの脚部が載置される載置面２５が形成されている。そして、この載置面２５の一方側に上記脚部の一方が挿入保持される固定フード２６が設けられており、また、載置面２５の他方側に上記脚部の他方が挿入保持される移動フード２７が設けられている。本実施形態では、リールシート部２３はケーシング２８を備えており、移動フード２７は、このケーシング２８の内部に配置されている。
【００２１】
移動フード２７は、ケーシング２８の前方に配置された操作ナット２９と螺合しており、この操作ナット２９が回転されることによって、移動フード２７がスライドし、固定フード２６に対して近接し、離反するようになっている。かかる移動フード２６のスライド機構は既知であるので、その詳しい説明は省略される。なお、この操作ナット２９は、固定ナット３０によってケーシング２８側に取り付けられている。
【００２２】
図３は、上記位置決め機構１３の分解斜視図である。図４は、釣竿１０の要部拡大断面図であり、上記位置決め機構１３の構造が図示されている。
この位置決め機構１３は、グリップ１２側に嵌め込まれるソケット３１と、ソケット３１に嵌め込まれるスタッド３２と、これらをグリップ１２側に固定するロック部材３３とを備えている。
【００２３】
グリップ１２は、釣竿本体１１が挿通される筒状に形成されており、その先端部３４は円筒状に形成されている。この先端部３４の外周面には雄ねじ３６が形成されている。上記固定ナット３０は、この雄ねじ３６に螺合している。なお、この先端部３４は、上記リールシート部２３の骨格となるコア部材の一部として構成されていてもよい。すなわち、釣竿本体１１が挿通されるコア部材が上記ケーシング２８の内部に配置され、このコア部材に上記移動フード２６及び操作ナット２９が設けれられていてもよい。そして、このコア部材の前端部が円筒状に形成されることにより、上記先端部３４が構成され得る。
【００２４】
この先端部３４には、一対の位置決め溝３５が設けられている。これら位置決め溝３５は、先端部３４の周囲に対向配置されており、それぞれ軸方向後方側に延びている。本実施形態では、位置決め溝３５は一対設けられているが、単一の係合溝のみが設けられていてもよいし、さらに多数設けられていてもよい。
【００２５】
ソケット３１は、筒状に形成されたソケット本体３７を有する。このソケット本体３７には、上記スタッド３２及び釣竿本体１１が挿通されるようになっている。ソケット本体３７には一対の位置決め片３８が形成されている。ソケット本体３７及び位置決め片３８は、例えば樹脂や金属等により一体的に形成される。
【００２６】
これら位置決め片３８は、軸方向後方に突出形成されている。位置決め片３８の外形形状は、上記位置決め溝３５の内壁面形状に対応されており、また、位置決め片３８の位置は、上記位置決め溝３５が設けられた位置に対応されている。したがって、位置決め片３８は、隙間無く位置決め溝３５に嵌め込まれるようになっている。もっとも、上記位置決め溝３５が唯一設けられている場合は、単一の位置決め片３８が設けられ、上記位置決め溝３５が多数設けられる場合は、位置決め片３８もこれに合わせて多数設けられることは勿論である。
【００２７】
ソケット本体３７の上記位置決め片３８が設けられた側と反対側には、一対の係合溝３９（係合部）が設けられている。これら係合溝３９は、ソケット本体３７の周囲に対向配置されており、ソケット本体３７の前端４０から軸方向後方に延びている。本実施形態では、係合溝３９は一対設けられているが、単一の係合溝のみが設けられていてもよいし、さらに多数設けられていてもよい。
【００２８】
要するに、上記位置決め片３８と上記先端部３４に設けられた位置決め溝３５とは、いわゆるキーとキー溝を構成しており、これにより、ソケット３１は、グリップ１２に対して正確に位置決めされることになる。
【００２９】
スタッド３２は、筒状に形成されたスタッド本体４１を有する。上記釣竿本体１１は、このスタッド本体４１に挿通されるようになっており、スタッド本体４１は、ソケット本体３７の内部に挿入されるようになっている。スタッド本体４１の中央部には、フランジ部４５が形成されている。また、スタッド本体４１には、フランジ部４５に連続して一対の係合突片４２が形成されている。この係合突片４２は、フランジ部４５から後方側へ延びている。このスタッド本体４１及び係合突片４２は、例えば樹脂や金属等により一体的に形成される。
【００３０】
係合突片４２の外形形状は、上記係合溝３９の内壁面形状に対応されており、また、係合突片４２の位置は、上記係合溝３９が設けられた位置に対応されている。したがって、係合突片４２は、隙間無く係合溝３９に嵌め込まれるようになっている。もっとも、上記係合溝３９が唯一設けられている場合は、単一の係合突片４２が設けられ、上記係合溝３９が多数設けられる場合は、係合突片４２もこれに合わせて多数設けられることは勿論である。
【００３１】
要するに、上記係合突片４２と上記ソケット本体に設けられた係合溝３９とは、いわゆるキーとキー溝を構成しており、これにより、スタッド３２は、ソケット３１に対して正確に位置決めされることになる。
【００３２】
前述のように、釣竿本体１１はスタッド本体４１に挿通され、スタッド本体４１は釣竿本体１１に固定される。このとき、釣竿本体１１は、所定の向きとなるように位置決めされる。例えば、釣糸ガイド１５〜２２（図１参照）がスタッド本体４１の係合突片４２が設けられた側に向くように位置決めされる。一方、グリップ１２の先端部３４に設けられた位置決め溝３５は、所定の位置に形成される。例えば、位置決め溝３５は、リールシート部２３の載置面２５（図２参照）に沿うように形成される。そして、上記ソケット３１の位置決め片３８及び係合溝３９は、同一直線上に配置される。これにより、スタッド本体４１に固定された釣竿本体１１が、スタッド３２及びソケット３１を介してグリップ１２に挿通されることにより、釣竿本体１１は、グリップ１２に対して正確に位置決めされる。
【００３３】
ロック部材３３は、円環状に形成され、例えば樹脂や金属等により構成される。図４が示すように、ロック部材３３の内周面には雌ねじ４６が形成されている。この雌ねじ４６は、上記グリップ１２の先端部３４に設けられた雄ねじ３６と螺合するようになっている。ロック部材３４の内壁面形状は、図４が示すように段付き形状となっている。すなわち、ロック部材３４は、内部に大径部４３及びこれに連続する小径部４４を有する。
【００３４】
この大径部４３の内径寸法は、上記ソケット３１及びスタッド３２が収容され得る寸法に設定されており、上記小径部４４の内径寸法は、スタッド本体４１のフランジ部４５の外形寸法よりも小さいがスタッド本体４１の前方部分４８が挿通され得る寸法に設定されている。したがって、ロック部材３３がスタッド本体４１の前方からスタッド本体に嵌め込まれたときは、ロック部材３３の大径部４３と小径部４４との境界部分に形成された段部４７がスタッド本体４１のフランジ部４５の側面に当接するようになっている。
【００３５】
釣竿１０は、次のようにして組み立てられる。
図３が示すように、スタッド３２が釣竿本体１１に固定される。具体的には、スタッド本体４１が釣竿本体１１に挿通され、係合突片４２が釣糸ガイド１５〜２２が設けられた側に向く位置で固定される。また、上記ロック部材３３が釣竿本体１１に挿通される。このとき、ロック部材３３は、スタッド３２の前方側（釣竿本体１１の先端側）に配置される。
【００３６】
次に、ソケット３１がグリップ１２の先端部３４に嵌め込まれる。具体的には、ソケット本体３７に設けられた位置決め片３８が上記先端部３４に設けられた位置決め溝３５に嵌め込まれる。このとき、ソケット３１は、グリップ１２の先端部３４に接着剤等によって固定されていてもよい。この状態で、釣竿本体１１の後端部１４がグリップ１２に挿通される。釣竿本体１１は、ソケット３２の係合突片４２がソケット３１の係合溝３９に嵌め込まれるまで挿入される。
【００３７】
そして、ロック部材３３がグリップ１２の先端部３４にねじ込まれることによって、図４が示すように、スタッド３２がグリップ１２側に締結される。すなわち、釣竿本体１１がグリップ１２に固定され、釣糸ガイド１５〜２２が正確にリールシート部２３の載置面２５が設けられた側に突出するように並設される。なお、釣竿本体１１がグリップ１２から取り外されるときは、前述の要領と逆の要領で作業が行われる。つまり、ロック部材３３がグリップ１２から取り外されることにより、釣竿本体１１は簡単にグリップ１２から抜脱される。
【００３８】
このように本実施形態に係る釣竿１０では、釣竿本体１１は、単にグリップ１２に嵌め込まれるだけでなく、位置決め機構１３を介してグリップ１２に連結されるから、釣竿本体１１は、簡単且つ正確にグリップ１２に対して位置決め固定される。しかも、釣竿本体１１がグリップ１２に取り付けられる作業において、作業者は、釣竿本体１１とグリップ１２との位置関係に留意することなく、前述の手順で作業を行うだけで、釣竿本体１１は確実にグリップ１２に対して位置決め状態で固定される。また、必要なときは、簡単に釣竿本体１１がグリップ１２から取り外される。
【００３９】
特に本実施形態では、位置決め機構１３は、ソケット３１及びこれと位置決め状態で嵌合するスタッド３２とを有しているから、位置決め機構１３が簡単であり、しかも高い位置決め精度が実現される。また、ソケット３１及びスタッド３２は、グリップ１２及び釣竿本体１１とは別個独立した部材として構成され得る。したがって、位置決め機構１３は、いわゆる後付作業で釣竿１０に組み込まれることも可能である。したがって、この位置決め機構１３が設けられることにより、釣竿本体１１及びグリップ１２の設計の自由度が低下することはない。
【００４０】
さらに、本実施形態では、上記ソケット３１及びスタッド３２は、グリップ１２に対してキー及びキー溝の関係で連結されることになる。したがって、グリップ１２とソケット３１との位置決め精度及びソケット３１とスタッド３２との位置決め精度はきわめて高く設定することができ、その結果、釣竿本体１１は、グリップ１２に対して高い精度で位置決めされる。
【００４１】
本実施形態では、位置決め機構１３は、ソケット３１がグリップ１２に係合され、スタッド３２がソケット３１に係合されるように構成されているが、ソケット３１がグリップ１２の先端部３４に一体的に形成されていてもよい。また、本実施形態では、ソケット３１がグリップ１２に設けられ、スタッド３２が釣竿本体１１側に設けられているが、ソケット３１が釣竿本体１１側に設けられ、スタッド３２がグリップ１２側に設けられていてもよい。要するに、ソケット３１とスタッド３２との嵌合により、上記位置決め機構１３が構成されていればよい。
【産業上の利用可能性】
【００４２】
本発明は、釣竿本体とグリップとが分離され得る釣竿に適用され得る。
【図面の簡単な説明】
【００４３】
【図１】図１は、本発明の一実施形態に係る釣竿の正面図である。
【図２】図２は、本発明の一実施形態に係る釣竿の要部拡大斜視図である。
【図３】図３は、本発明の一実施形態に係る釣竿の位置決め機構の分解斜視図である。
【図４】図４は、本発明の一実施形態に係る釣竿の要部拡大断面図である。
【図５】図５は、従来の一般的な釣竿の正面図である。
【符号の説明】
【００４４】
１０・・・釣竿
１１・・・釣竿本体
１２・・・グリップ
１３・・・位置決め機構
１４・・・後端部
１５〜２２・・・釣糸ガイド
２３・・・リールシート部
２５・・・載置面
３１・・・ソケット
３２・・・スタッド
３３・・・ロック部材
３４・・・先端部
３５・・・位置決め溝
３６・・・雄ねじ
３７・・・ソケット本体
３８・・・位置決め片
３９・・・係合溝
４０・・・前端
４１・・・スタッド本体
４２・・・係合突片
４３・・・大径部
４４・・・小径部
４５・・・フランジ部
４６・・・雌ねじ
４７・・・段部
【図１】
2005210913.tif 000003
【図２】
2005210913.tif 000004
【図３】
2005210913.tif 000005
【図４】
2005210913.tif 000006
【図５】
2005210913.tif 000007